(57)【特許請求の範囲】
【請求項１】
箱体（１）、前記箱体（１）の上部に据え付けられているコントロールパネルの本体（２）、前記箱体（１）の下部に据え付けられている台座（３）、前記箱体（１）の内部に据え付けられている外槽（４）と内槽（５）、および直接駆動式の電機（６）を含んで、
前記電機（６）とベアリングベース（１１）が前記外槽（４）の底部に据え付けられ、少なくとも前記電機（６）が固定装置で前記外槽（４）に固定されて、電機軸（６０１）とインペラー軸（８）が前記ベアリングベース（１１）の内で接続し、浮力クラッチ装置が設けられており、
前記浮力クラッチ装置は、前記内槽（５）の底部の浮力室（５０１）、前記内槽の底部の軸穴の内凹歯車（９）、前記外槽（４）と前記内槽（５）の間の前記インペラー軸に据え付けられている外凸歯車（１０）を含み、
前記内槽（５）のトップにバランスリング（５０６）が設けられ、前記外槽（４）のトップに外筒蓋（４０２）が設けられ、前記内槽（５）と前記外槽（４）のトップの間に阻止構造が設けられており、
前記阻止構造は、前記バランスリング（５０６）の表面に設けられている突起（５０７）、および前記外槽蓋（４０２）の前記バランスリング（５０６）に向かい合った面に設けられている突起（５０７）を含み、
前記内槽（５）が浮き上がった後に前記バランスリング（５０６）の突起（５０７）と前記外槽蓋（４０２）の突起（５０７）とが互いに相手の動きを遮って、前記内槽（５）がインペラー（１２）と同期して回転することを阻止する、ことを特徴とする小型全自動インペラー洗濯機。
【請求項２】
前記ベアリングベース（１１）に、前記電機（６）に合わせて、前記電機（６）の径方向移動を防ぐように少なくとも前記電機（６）の一部を収納する位置付け構造が設けられて、前記位置付け構造が、少なくとも三枚の位置付け板（１１０３）、および少なくとも一つの位置付けリング（１１０５）のうちの一方、または両方を含むことを特徴とする請求項１に記載の小型全自動インペラー洗濯機。
【請求項３】
前記位置付け板（１１０３）、および前記位置付けリング（１１０５）のうちの一方、または両方が前記ベアリングベース（１１）と前記電機（６）を合わせる据付面（１１０２）に設けられて、前記位置付け板（１１０３）が前記据付面（１１０２）に垂直であって、且つ前記ベアリングベース（１１）の軸穴（１１１０）を中心に放射状で対称に配列されて、前記位置付け板（１１０３）と前記電機（６）の接触面部に接触面より高くした位置付け台（１１０４）が設けられて、前記位置付け台（１１０４）の内縁から前記ベアリングベース（１１）の軸穴（１１１０）の軸心線までの垂直距離が前記電機（６）の半径と同じか前記半径より大きくて、前記位置付けリング（１１０５）が前記ベアリングベース（１１）の前記軸穴（１１１０）と同心の円管またはアーチ形で、且つ直径が前記軸穴（１１１０）の直径より大きくて、前記電機（６）と前記ベアリングベース（１１）の接触面に前記位置付けリング（１１０５）に合わせる位置付け溝（６０２）が設けられていることを特徴とする請求項２に記載の小型全自動インペラー洗濯機。
【請求項４】
前記位置付け構造が、前記位置付け板（１１０３）、および前記位置付けリング（１１０５）の両方を含む場合において、前記位置付けリング（１１０５）と前記位置付け板（１１０３）が交差して、交差場所で前記位置付けリング（１１０５）の高さが前記位置付け板（１１０３）より高いことを特徴とする請求項３に記載の小型全自動インペラー洗濯機。
【請求項５】
前記ベアリングベース（１１）と前記外槽（４）の底部が接触する固定面（１１０１）に前記ベアリングベース（１１）の軸穴の円周に沿って上へ突出した保護カバー（１１０８）が設けられて、前記インペラー軸（８）が前記保護カバー（１１０８）を貫通して前記電機軸（６０１）と同軸で接続していることを特徴とする請求項１に記載の小型全自動インペラー洗濯機。
【請求項６】
前記保護カバー（１１０８）の上端部の中に骨格オイル・シール（１１１１）が設けられ、前記保護カバー（１１０８）の下端で前記ベアリングベース（１１）の軸穴内にシャフトブッシュ（１１０９）が設けられ、前記インペラー軸（８）に止め輪（１１１２）が設けられ、前記止め輪（１１１２）が前記骨格オイル・シール（１１１１）と前記シャフトブッシュ（１１０９）の間に位置していることを特徴とする請求項５に記載の小型全自動インペラー洗濯機。
【請求項７】
前記保護カバー（１１０８）の高さが前記外槽（４）の底部の厚さより高いことを特徴とする請求項５に記載の小型全自動インペラー洗濯機。
【請求項８】
前記電機軸（６０１）と前記インペラー軸（８）の間に隔離装置（１３）が設けられて、前記隔離装置（１３）が前記電機軸（６０１）と前記インペラー軸（８）の直接の接触を避けて、且つ前記隔離装置（１３）の構造が前記電機軸（６０１）と前記インペラー軸（８）の間の接合面の構造と互いに適応していることを特徴とする請求項１に記載の小型全自動インペラー洗濯機。
【請求項９】
前記隔離装置（１３）が前記ベアリングベース（１１）の軸穴（１１１０）より直径が大きい保護カバー（１３０１）を含んで、前記保護カバー（１３０１）が円筒形で、且つ円筒面が前記電機軸（６０１）に垂直であることを特徴とする請求項８に記載の小型全自動インペラー洗濯機。
【請求項１０】
前記固定装置がＵ形の構造の固定帯（７）で、前記固定帯（７）が二つの側辺（７０１）、及び前記二つの側辺（７０１）を接続する押さえ辺（７０２）を含んで、前記二つの側辺（７０１）が端部でそれぞれ外槽（４）の底部に固定されて、前記固定帯（７）が前記電機（６）と前記ベアリングベース（１１）を押さえて前記外槽（４）の底部に固定していることを特徴とする請求項１に記載の小型全自動インペラー洗濯機。
【請求項１１】
前記電機（６）は前記電機軸（６０１）の反対側の面に前記電機（６）を固定するベアリングの突出部が設けられ、前記押さえ辺（７０２）の中央には固定孔（７０３）が設けられて、前記固定孔（７０３）と前記電機（６）の前記ベアリングの突出部が対応し、前記ベアリングの突出部と前記固定孔（７０３）の間に衝撃吸収パッドが設けられていることを特徴とする請求項１０に記載の小型全自動インペラー洗濯機。
【請求項１２】
前記浮力室（５０１）の中のインペラー軸（８）の軸孔の周りに内浮力室（５０２）が設けられ、前記内浮力室（５０２）が前記内槽（５）の底部と一体となった隔離筋（５０５）で周囲を囲まれて、洗濯機に水を注いだ後に前記内浮力室（５０２）が密封室を形成することを特徴とする請求項１に記載の小型全自動インペラー洗濯機。
【請求項１３】
前記隔離筋（５０５）の周りに内槽（５）の底部と一体化した隔離輪（５０３）が設けられ、前記隔離筋（５０５）と前記隔離輪（５０３）の間の前記内槽（５）に水通過孔（５０４）が設けられ、前記隔離筋（５０３）のトップが前記浮力室（５０１）のトップより上に出て、前記ベアリングベース（１１）の保護カバー（１１０８）の高さが前記外槽（４）の底部の厚さより高くて、且つ据付後に前記保護カバー（１１０８）の一部が前記内浮力室（５０２）に入ることを特徴とする請求項１２に記載の小型全自動インペラー洗濯機。
【請求項１４】
前記電機軸（６０１）のトップが前記インペラー軸（８）にフレキシブルに接続されていることを特徴とする請求項１に記載の小型全自動インペラー洗濯機。
【請求項１５】
前記電機軸（６０１）が前記インペラー軸（８）とギアで接続されているか、もしくは、
前記電機軸（６０１）のトップが角付きの多角体であり、前記インペラー軸（８）の接触端に前記電機軸（６０１）のトップに合わせた内凹溝がある、ことを特徴とする請求項１４に記載の小型全自動インペラー洗濯機。
【請求項１６】
前記電機軸（６０１）と前記インペラー軸（８）の間に隔離装置（１３）が設けられて、前記隔離装置（１３）が瓶蓋の構造で、瓶蓋構造の中心には前記電機軸（６０１）と前記インペラー軸（８）の接合面構造に合わせた突起が設けられていることを特徴とする請求項１４に記載の小型全自動インペラー洗濯機。
【発明の詳細な説明】
【技術分野】
【０００１】
本発明は洗濯機の分野に関わったもので、具体的に体積が小さくて、機能がそろって、全自動の洗濯を実現することができるインペラー洗濯機に関わったものである。
【背景技術】
【０００２】
普通には家庭用全自動洗濯機の洗濯容量が３〜６キロぐらいで、小さい衣服を洗う時とても不便で、不経済である。従来、靴下や赤ちゃんの服などの小さい服を洗濯することができるいくつかの小型洗濯機が出たが、これらの小型洗濯機は直接に元の普通全自動洗濯機のいくつか構造を採用できなくて、普通の全自動洗濯機の洗濯機能だけを実現することができて、同時に洗いさらしと脱水を実現することができなくて、同時に洗濯と脱水を実現する全自動の作動方式は洗濯機の体積を減らすことができないので、当面に社会上で体積が小さくて全自動洗濯を実現する小型の洗濯機がないのである。
【０００３】
小型の洗濯機は体積と容量に対して厳しい要求がある。従来のインペラー洗濯機は直接駆動式の電機を採用して、直接に電機を洗濯機の外槽の底部に据え付けて、電機駆動軸でインペラー駆動軸を駆動して作動する。このようにすると、洗濯機の体積が減らされたが、底部の空間がとても狭くて、排水ポンプ、水位センサーなどの部品を据え付けることができない。また、現在の技術では、洗濯機の電機がすべてボルト、ねじで外槽と固定して接続する方式を採用しているが、小型の洗濯機は、内部の空間が狭いので、上記の固定方式でねじ孔を合わせにくいなどの難題が出やすいので、据付が不便である。
【０００４】
例えば、公開番号がＣＮ１３７５５９３Ａの特許書類には、小型の洗濯機を開示したが、それは電機と洗濯槽を分離して、電機を空室に据え付けて、電機軸が下に向かって伝動装置で片側の洗濯槽を駆動して、洗濯槽を自由に外すことができる。この洗濯機は洗濯と洗いさらし機能だけを実現することができて、ひとつの洗濯槽だけがあるので、脱水の機能を実現することができない。
【０００５】
公開番号がＣＮ２０１１５１８２７Ｙの特許書類には、新型の直接駆動クラッチの洗濯機を開示したが、洗濯機は浮力式の作動方式を採用して、電機が直接駆動式の電機を使って、電機軸とインペラー軸が直接に接続して、電機が外槽の底部に設けられて、中間装置を経由して、外筒と据え付けられて、電機と中間装置の間の固定がボルトやねじを使うので、固定の難度を増えたのである。
【０００６】
公開番号がＣＮ２０１２１７７４７Ｙの特許書類には、新型の洗濯機の直接駆動装置を開示したが、電機は減速器を経由して洗濯機に据え付けられて、減速器の出力軸をインペラー軸として、電機軸と減速器を接続した後に間接的にインペラー軸を駆動している。この方案は電機と洗濯機の外槽の間に減速器を設けているので、接続構造が複雑で、各部品の間に安定な伝動を必要として、故障率が高いのである。
【０００７】
実際の作動中に、電機の組み立ての不良、部品の磨損、線路の老化、使用環境の湿度が多きいなどの原因で電機の漏電が出る。電機の駆動軸とインペラーの駆動軸が金属の材料を使っているので、漏電が洗濯機内槽に伝導されて、洗濯機に電気が付くようになって、ユーザーに感電の危険をもたらす。
【０００８】
従来の技術では、浮力式構造の洗濯機があるが、このような洗濯機は作動時に内槽の昇降が水の浮力に頼ってコントロールされているので、洗濯容量が小さくなった。その構造として、洗濯機の内槽の底部に浮力室があって、内槽底部の中間が密封ベアリングを経由してインペラーの駆動軸に付けられている。洗濯機のクラッチ装置は密封ベアリングの周りに据え付けられている内凹歯車、外槽と内槽の間に据え付けられているインペラー軸の外凸歯車から構成されて、脱水や不使用の時に、内凹歯車と外凸歯車がかみ合って、洗濯して水を注ぐ時に、内槽の浮力室は閉鎖的な密封室を形成して、それによって内凹歯車と外凸歯車を分けて、内槽がインペラーの駆動軸に沿って上がって、それから洗濯し始める。
【０００９】
例えば、特許番号の９８２２１７０６．４には洗濯機のクラッチ装置を開示したが、クラッチ装置は内凹歯車と外凸歯車から構成されている。洗濯槽は空気室を利用して水の浮力でインペラー駆動軸で移動することができる。洗濯時に、空気室は水の作用で洗濯槽を上へ上げて、洗濯槽の底部の内凹歯車を主軸の外凸歯車に離れて、電機がインペラーだけを駆動して洗濯を行って、脱水の時に洗濯槽の内凹歯車と主軸の外凸歯車がかみ合って、インペラーと一緒に回転する。衣服に含まれている各種類のゴミがインペラーの駆動軸の接続部にくっついているので、内槽のインペラー駆動軸での昇降に影響を与える。
【発明の概要】
【課題を解決するための手段】
【００１０】
本発明の目的は従来の技術で中小型洗濯機の伝動構造が複雑で、体積を減らしにくい技術問題を解決するために、小さいものを全自動で洗濯することができて、体積が小さくて機能がそろっている小型の全自動インペラー式洗濯機を提供するのである。
【００１１】
本発明の別の目的は従来の技術で中小型洗濯機のクラッチ構造が複雑で、体積を減らしにくい技術問題を解決するために、浮力クラッチを採用して、構造が簡単で、安全で信頼的な小型の全自動インペラー式洗濯機を提供するのである。
【００１２】
本発明の更なる目的は従来の技術で中小型洗濯機の電機の据付が複雑で、困難という技術問題を解決するために、据付しやすくて、空間を節約して、洗濯機の全体の体積を下げた小型の全自動インペラー式洗濯機を提供するのである。
【００１３】
本発明の別の目的は洗濯容量が１キロ以下で、少なくとも洗濯、洗いさらしと脱水を含む全自動洗濯機を提供するのである。
【００１４】
上記の目的を実現するために、本発明の具体的な方案は次の通りである。          
箱体、箱体の上部に据え付けられているコントロールパネルの本体、箱体の下部に据え付けられている台座、箱体の内部に据え付けられている外槽と内槽、直接駆動式電機を含んで、上記の電機とベアリングベースが外槽の底部に据え付けられて、少なくとも電機が固定装置で外槽に固定さてて、電機軸とインペラー軸がベアリングベースの内で接続して、内槽と外槽に浮力クラッチ装置を設けていることを特徴とする小型全自動インペラー洗濯機。
【００１５】
電機とベアリングベースの快速な据付に合わせるために、上記ベアリングベースに電機に合わせて、少なくとも電機が径方向で移動することを防ぐように一部の電機を収納する位置付け構造を設けているが、上記の位置付け構造が少なくとも三枚の位置付け板と／又は少なくとも一つの位置付けリングであることが好ましい。
【００１６】
電機とベアリングベースの位置付け効果を強化して、ベアリングベースの位置付け構造の安定性を高めるために、上記の位置付け板と／又は位置付けリングがベアリングベースと電機を合わせる据付面に設けられて、上記の位置付け板が据付面に垂直して、且つベアリングベースの軸穴を仮定センターにして放射状で対称に配列して、位置付け板と電機の接触面部に接触面より高くした位置付け台を設けて、位置付け台の内縁からベアリングベースの軸穴の軸心線までの垂直距離が電機の半径と同じで、或いはそれより大きくて、上記の位置付けリングがベアリングベースの軸穴と同心の円管やアーチ形で、且つ直径が軸穴の直径より大きくて、上記の電機とベアリングベースの接触面に位置付けリングに合わせる位置付け溝を設けている。
【００１７】
位置付けリングの位置付け効果を強化するために、上記の位置付けリングと位置付け板が交差して、交差部の位置付けリングが位置付け板より高い。
【００１８】
ベアリングベースと外槽の間の密封を強化して据付に便宜を図るために、ベアリングベースと外槽の底部が接触する固定面にベアリングベースの軸穴の円周に沿って上へ突出した保護カバーを設けて、インペラー軸が保護カバーを横切って電機軸と同軸で接続している
ベアリングベースの密封効果とインパラー軸の回転効果を高めるために、上記の保護カバーの上端部の中に骨格オイル・シールを設けて、保護カバーの下端とベアリングベースの軸穴内にシャフトブッシュを設けて、インペラー軸に止め輪を設けて、止め輪が骨格オイル・シールとシャフトブッシュの間に位置している。
【００１９】
保護カバーの防水効果を高めるために、上記の保護カバーの高さが外槽底部の厚さより大きい。
【００２０】
電機軸とインペラー軸の間の漏電伝導を減らすために、電機軸とインペラー軸の間に隔離装置を設けて、隔離装置は電機軸とインペラー軸の直接の接触を隔離して、且つ構造が電機軸とインペラー軸の接合面の構造と互いに適応している。
【００２１】
電機に水漏れの影響を受けないように、隔離装置は直径がベアリングベースの軸孔より大きい保護カバーを含んで、保護カバーが円柱形の平面で、且つ電機軸に垂直している。
【００２２】
電機と外槽の間の固定部品を減らすために、上記の固定装置はＵ形構造の固定帯である。上記の固定帯は二つの側辺及び二つの側辺を接続する押さえ辺を含んで、二つの側辺が端部でそれぞれ外槽の底部に固定されて、固定帯が電機とベアリングベースを外槽の底部に押さえて固定している。
【００２３】
固定帯と電機の固定効果を高めるために、上記の電機が電機軸の別の面に対して電機軸を固定するベアリングの突出部があって、上記の押さえ辺の中部に固定孔を設けて、固定孔と電機のベアリングの突出部が対応して、ベアリングの突出部と固定孔の間に衝撃吸収パッドを設けている。
【００２４】
内槽と外槽の間のクラッチ部品を減らして、更に洗濯機の体積を減らすために、上記の内槽と外槽の浮力クラッチ装置が内槽の底部の浮力室、内槽の底部の軸穴の内凹歯車、外槽と内槽の間のインペラー軸に据え付けられている外凸歯車を含んでいる。
【００２５】
インペラー軸と洗濯用水の接触を避けて、内槽の昇降の摩擦を減らすために、上記の浮力室の中にインペラー軸の軸孔をめぐって内浮力室を設けて、上記の内浮力室が内槽の底部と一体にした隔離筋でめぐって構成されて、洗濯機に水を注いだ後に内浮力室が密封室を形成する。
【００２６】
内槽と外槽の間と水の交換を高めるために、上記の隔離筋の周りに内槽の底部と一体にした隔離輪を設けて、隔離筋と隔離輪の間の内槽に水通過孔を設けて、上記の隔離筋のトップが浮力室のトップより出て、上記のベアリングベースで保護カバーの高さが外槽の底部の厚さより大きくて、且つ据付後に一部が内浮力室に入る。
【００２７】
内槽がインペラーに従って回転して洗濯の効果に影響を与えないように、内槽のトップにバランスリングを設けて、外槽のトップに外筒蓋を設けて、内槽と外槽のトップの間に阻止構造を設けて、上記の阻止構造はバランスリングの表面に設けられている突起、外槽蓋とバランスリングが向かい合った面に設けられている突起を含んで、バランスリングの突起は内槽が浮き上がった後に外筒蓋の突起と互いに接触して内槽の回転を阻止する。Ｈ
電機軸とインペラー軸の伝動効果を高めるために、上記の電機軸のトップとインペラー軸の接触端が活動可能に接続しているが、電機軸とインペラー軸の間の歯接続や電機軸のトップが角付きの多角体のことが好ましい。インペラー軸の接触端と電機軸に合わせた内凹溝がある。
【００２８】
伝動軸と電機軸の間の漏電伝導を避けるために、上記の電機軸とインペラー軸の間に隔離装置を設けて、隔離装置が瓶蓋状で、瓶蓋の中心には電機軸とインペラー軸の接合面構造に合わせる突起を設けている。
【００２９】
上記の構造を採用すると、本発明の洗濯機は全自動洗濯プログラムの制御で１キロ以下の衣服を洗うことができる。
【００３０】
本発明による有利な効果として、
本発明は従来の洗濯機の伝動構造を改善して、直接駆動式電機を採用して、そして電機をベアリングベースを経由して外槽の底部に据え付けて、普通の全自動洗濯機の電機、減速器などの部品を節約して、洗濯機の底部空間を減らして、洗濯機の全体の体積を縮小したのである。電機の電機軸とインペラー軸はベアリングベースの中で直接に合わせて駆動して、電機軸とインペラー軸の間に歯構造や多角体の構造で互いに合わせる方式で接続して、両者の間の摩擦を増えて、動力の伝送効果を高めて、中間的環節を減らして、駆動構造が更に簡単で便利で、そしてベアリングベースが継手を保護して安定的にする役割を果たすことができる。ベアリングベースに設けられている位置付け板と／又は位置付け輪は、電機が快速に所定の位置に据え付けられルことを保証して、電機が径方向で移動することを防止して、電機の安定性を高めた。電機の位置付け凹溝は位置付け輪と互いに固定して、固定の効果を高めた。ベアリングベースに保護カバーを設けて、インペラー軸と電機軸に保護空間を提供するだけではなくて、また洗濯用水がベアリングベースに入ることを防止して、保護カバーの中にベアリングと骨格オイル・シールを据え付けることは電機軸とインペラー軸の摩擦を減らすことができる。インペラー軸の止め輪はインペラー軸の軸方向の安定性を高めてインペラー軸の重量を分担することができる。電機軸とインペラー軸の間に設けられている隔離装置は外槽内の水が電機に滲み込むことを防止して、電機の漏電が外槽に伝導することも防止して、隔離装置の構造及び電機軸とインペラー軸の接触端の構造が合わせて、隔離装置はまた電機軸とインペラーの接触端の磨損を避けることもできる。
【００３１】
本発明は固定装置で直接に電機と／又はベアリングベースを外槽の底部に固定して、電機とベアリングベースの固定構造を減らして、電機の据付に更に便利で、据付効率を高めた。固定帯の押さえ辺に設けられている固定孔は電機軸を押さえるを避けるだけではなくて、据え付けられた緩衝パッドが更に電機を安定させることができる。
【００３２】
本発明は浮力でコントロールされているクラッチ構造で内槽の昇降を制御しているので、大量の機械装置を減らして、相応に故障率を下げた。内槽のバランスリングと外槽に設けられている突起は内槽の浮き上がり後に両者が互いに止めて、内槽の回転を防止して、内槽と衣服の摩擦効果を高めた。隔離筋で構成された内浮力室はベアリングベース保護カバーを含んで、保護カバーとインペラー軸の接続部が水位の上に位置するようにして、洗濯用水が接続部から保護カバーに入って密封効果に影響を与えて、骨格オイル・シールの寿命を下げることを避けて、同時に保護カバーの上側と内槽の底部の間のインペラー軸にゴミがくっついて、内槽の浮力効果を下げることを避ける。加工のニーズによって隔離筋を内槽と一体にしたり、内凹歯車と一体にしたりすることを設けている。内槽と一体にすることが密封の措置を減らすことができるが、内凹歯車と一体にすることが据付に更に柔軟になる。隔離輪と隔離筋の間の水通過孔は浮力室の密封に影響を受けることを避けることができる。
【００３３】
本発明はより少ない構造の合理的で巧みな配置で、洗濯機の体積を減らして、洗濯機の洗濯量を１キロ以内に抑えて、また全自動の洗濯を実現した。
【図面の簡単な説明】
【００３４】
【図１】本発明の小型洗濯機の構造説明図である。
【図２】本発明の固定帯の構造説明図である。
【図３】本発明の固定帯の別の構造の説明図である。
【図４】本発明の電機の構造説明図である。
【図５】本発明の隔離装置の構造説明図である。
【図６】本発明のベアリングベースの立体構造説明図である。
【図７】本発明のベアリングベースで位置付けリングがアーク状の構造説明図である。
【図８】本発明のベアリングベースの支持面の説明図である。
【図９】図９に示されたＡ−Ａの断面図である。
【図１０】本発明の内槽底部の浮力室の立体構造説明図である。
【図１１】本発明の内槽底部の下面図である。
【図１２】本発明の衝撃吸収バーの構造説明図である。
【図１３】本発明の内槽浮かび止め構造の説明図である。
【発明を実施するための形態】
【００３５】
添付図の符号の説明：１−箱体、１０１−吊座、２−コントロールパネルベース本体、３−台座、４−外槽、４０１−衝撃吸収ベース、４０２−外槽蓋、５−内槽、５０１−浮力室、５０２−内浮力室、５０３−隔離環、５０４−水通過孔、５０５−隔離筋、５０６−バランスリング、５０７−突起、６−電機、６０１−電機軸、６０２−位置付け凹環、７−固定帯、７０１−側辺、７０２−押さえ辺、７０３−固定孔、８−インペラー軸、９−内凹歯車、１０−外凸歯車、１１−ベアリングベース、１１０１−固定面、１１０２−据付面、１１０３−位置付け板、１１０４−位置付け台、１１０５−位置付けリング、１１０６−強化筋、１１０７−固定孔、１１０８−保護カバー、１１０９−ブッシュ、１１１０−ベアリングベース軸孔、１１１１−骨格オイル・シール、１１１２−止め輪、１２−インペラー、１３−隔離装置、１３０１−保護カバー、１４−衝撃吸収バー、１４０１−バー、１４０２−上ボールベース、１４０３−下ボールベース、１４０４−スプリング、１４０５−スプリングベース、１４０６−錐体形パイプ
実施例
以下は添付図によって本方案の洗濯機を更に説明する。
【００３６】
図１の通りに、本技術方案は小型全自動インペラー洗濯機（以下は洗濯機と略称する）に関わったが、洗濯機は洗濯プログラムのコントロールで全自動に衣服の洗濯、洗いさらしと脱水のプロセスを実現することができる。洗濯機の箱体１のトップに洗濯機のコントロールパネルベース２を据え付けて、箱体１の底部に台座３を据え付けて、洗濯機の内槽５が外槽４の中に据え付けられて、外槽４と内槽５の底部の中心位置にインペラーが通す同軸孔を開けて、外槽４と内槽５にクラッチ装置を設けて、内槽５は浮力式の作動方式を採用して、外槽４は衝撃吸収バー１４を経由して箱体１に据え付けられて、電機６は直接駆動式電機を採用して、図１、２、３のように、電機６がベアリングベース１１を経由して、外槽４の底部に据え付けられて、電機６、ベアリングベース１１が順次に外槽４の底部に加えられて、それから電機６やベアリングベース１１がそれぞれ外槽の底部に固定されて、あるいは電機６と／あるいはベアリングベース１１と外槽の間固定接続構造を採用しないが、外槽の底部に据え付けられている固定装置は電機と／あるいはベアリングベースを外槽の底部に固定して、電機の電機軸６０１とインペラー軸８がベアリングベースで可動的に接続している。
【００３７】
図１、６、７、８、９のように、本発明のベアリングベース１１の軸心にベアリングベース軸孔１１１０を設けて、据付後にベアリングベース軸孔１１１０と外槽４、内槽５の上の軸孔が同軸心である。外槽４と電機６の間のベアリングベース１１に位置付け構造を設けて、位置付け構造は電機６とベアリングベース１１が接触する据付面１１０２に設けられて、位置付け構造は電機６を支えて電機の径方向の移動を防止して、位置付け構造の具体的な方式は位置付けの板の１１０３を採用するので、ベアリングベース１１の据付面１１０２に少なくとも三つのベアリングベース１１の軸孔１１１０を仮定中心にしてベアリングベース１１の半径方向に沿って放射状に配列して、しかも据付面に垂直する位置付け板１１０３を均一に設けているが、位置付け板は４−６を設けることもできる。位置付け板と電機の接触面の外側に上へ盛り上がる位置付け台１１０４を設けて、位置付け台１１０４の内縁からベアリングベースの軸穴１１１０の軸心線までの垂直距離が電機６の半径と同じで、或いはそれより大きい。このように、電機６の上の電機軸がベアリングベース１１の軸穴１１１０に差し込む時、電機６の一つの底面は少なくとも一部が位置付け板１１０３の上縁に接触する。位置付け台は電機の外側に位置して、このように各位置付け板の位置付け台１１０４は電機６が平面で各方向への平行移動を制限した。ベアリングベース１１は固定孔１１０７で直接に外槽４の底部に固定することができる。電機６は  直接に外槽４の底部にも固定したり、次の具体的な実施例に述べられる固定装置と外槽４で接続したりすることができる。
【００３８】
図１、４、６、７、８、９のように、一つの選択として、ベアリングベースの位置付け構造の別の具体的な方式は、ベアリングベース１１の据付面１１０２に盛り上がる位置付けリング１１０５を設けて、位置付けリング１１０５がとベアリングベースの内径と同円心のパイプで、位置付けリングの内径がベアリングベースの軸穴１１１０の外径より大きくて電機６の直径より小さい。電機６に対応する位置付け凹溝６０２を設けて、位置付け凹溝は電機の内部且つ深さへ位置付けリングの高さに対応して、据付時に電機軸６０１はベアリングベース１１の軸孔１１１０に差し込んで、電機の位置付け凹溝６０２がベアリングベースの位置付けリング１１０５に係合して、電機の係合と平行移動の制限を実現する。図７のように、位置付けリング１１０５は完備ではない円で、中断のアーチ形から構成されたもので、アーチ形の丈夫さを強めるために、アーチ形の両側に据付面に垂直する補強筋１１０６を設けることができる。本方案に関わった電機１１は円柱形で、電機軸が電機の外に伸ばしている。
【００３９】
電機に盛り上がった位置付けリングを設けることもできるが、ベアリングベースの据付面に内凹の位置付凹溝を設けている。            
図１、４、６、７、８、９のように、上記の具体的な実施例に基づき、本方案の位置付け構造は位置付け板１１０３と位置付けリング１１０５を含んでいるが、位置付け板１１０３と位置付けリング１１０５は同時にベアリングベースの据付面１１０２に設けられて、位置付けリング１１０５と全ての位置付け板１１０３が交差して、交差部で安定な十字を形成する。この構造は位置付け板と位置付けリングを互いに支持するように形成して、全体のベアリングベースの構造を更に丈夫にして、位置付けリング１１０５の高さが位置付け板の高さより高くて、位置付けリング１１０５が高くした高さが電機６の位置付け凹溝６０２に対応して、電機軸６０１のベアリングベースの軸孔１１１０に差し込む時、電機の外側は位置付け台１１０４に止められて平行移動できなくて、据付面１１０２の位置付けリング１１０５が電機の位置付け凹溝に係合する。位置付けリングとベアリングベースの強度を強化するために、位置付けリングに軸心に垂直する補強筋１１０６を設ける。本方案によって全体の位置付け構造が更に安定的になる。
【００４０】
図１、６、７、８、９のように、本方案はベアリングベース１１と外槽４が接触する固定面１１０１の一側に外に突出する空心の円柱形保護カバー１１０８を設けて、保護カバー１１０８とベアリングベース１１が一体的な構造で、保護カバー１１０８のトップに開口があって、底部とベアリングベース１１の軸孔が接続して、保護カバー１１０８とベアリングベースの軸孔１１１０の内部にブッシュ１１０９を設けて、インペラー軸８の一端は保護カバーのトップの開口からベアリングベースに差し込んで、保護カバーのトップとインペラー軸の接触部に骨格オイル・シール１１１１を設けて、ブッシュ１１０９とインペラー軸の間に締め代合わせをして、インペラー軸では骨格オイル・シールとブッシュの間に径方向に突出する環状止め輪１１１２を固定して、インペラー軸がベアリングベースから脱出しないように、止め輪１１１２はブッシュのトップに支持されている。同時に更にインペラー軸の径方向での摩擦を減らす効果を果たす。骨格オイル・シールはインペラー軸を潤滑にして保護カバーを密封する役割を果たす。保護カバー１１０８の高さが外槽４底部の厚さより大きくて、ベアリングベースが外槽に固定された後に、保護カバーは外槽底部の軸孔から外槽の内部を横切って、保護カバーと外槽の軸孔が固定された後に防水密封状態を形成する。ベアリングベースでインペラー軸と電機軸を接続して、外槽の相応部品を減らして、問題が出た時に、ベアリングベースを外すだけで、補修することができるので、大幅に補修の作業量を減らした。
【００４１】
図１のように、電機６の電機軸６０１は直接にインペラー８と接続している。両者の接続端は可動可能な係合構造を採用して、係合後の電機軸６０１がインペラー軸８を動かして連動して回転することができる。図５のように、使用時に水が保護カバー１１０８とベアリングベース１１の軸孔１１１０に入ることを防いで、そして電機６の漏電が電機軸、インペラー軸８を通じて外槽４と内槽５に伝導することを防止するために、本方案は電機軸とインペラー軸の間に隔離装置１３を設けて、隔離装置１３の形が瓶の蓋を類似する。図４のように、本方案は電機軸のトップを多面体の形に設けて、三角形、四辺形、五辺形や六角形などの係合後に径方向に回転する時に摩擦力を増える構造を含んで、それに対応した隔離装置、インペラー軸の接触端の形もそれと同じであるが、ただインペラー軸の接触端が凹溝の構造で、据付時に隔離装置１３がインペラー軸の内凹溝に入ったり、電機軸のトップにつけたりして、更に三者を順次に接続する。隔離装置は絶縁材で作られて、その厚さが２〜２．５ｍｍで、２．２ｍｍが好ましい。
【００４２】
ブッシュ１１０９が漏電伝導ルートになることを避けるために、図５のように、隔離装置１３の一端がブッシュ１１０９の大きさによって径方向に延伸する保護カバー１３０１を作ることが好ましい。このように隔離装置の据付後に、電機軸６０１とインペラー軸８の接触を隔離するだけではなく、また両者とブッシュ１１０９の接触を隔離することができて、洗濯機の安全係数を高めて、同時に保護カバー１３０１が外槽の漏水時、インペラー軸に沿って下に流れる洗濯用水を電機軸と電機の接続口の外に止めて、電機の内部に入ることを避けることができる。
【００４３】
図１、２、３のように、電機６と／またはベアリングベース１１を外槽４の底部に固定する固定装置はＵ形の固定帯７を使っている。固定帯７は二つの側辺７０１と二つの側辺７０１を接続して電機を押さえる押さえ辺７０２を含んでいる。固定帯は一定の硬度を持つ材料から作られて、例えば鉄、鋼、硬いプラスチックなど。電機６は直接駆動式電機を使って、二つの側辺７０１は端を経由してそれぞれ外槽４の底部に固定されて、押さえ辺７０２に固定孔を設けて、電機の電機軸に対する別の面に電機軸のバックエンドを固定するベアリングの突出部があって、固定孔の位置がベアリングの突出部の位置に向かい合って、固定帯７が電機６とベアリングベース１１を外槽４の底部に押さえて固定する。固定帯７と電機６の接触効果を高めるために、押さえ辺７０２に固定孔７０３を設けて、固定孔７０３がベアリングの突起部に対応して、ベアリングの突起部と固定孔の間に密封と衝撃吸収に用いられる衝撃吸収パッドを据え付けているが、衝撃吸収パッドは同時に電機のバランスにも役立って、据付時に固定帯の２つの側辺の端をボルトで外槽４の底部に固定する。固定帯は一定の強度を持つ金属を使って固定の効果を実現する。
【００４４】
図１、１０、１１のように、本発明のクラッチ装置は内槽底部の軸孔部に据え付けられる内凹歯車９、外槽と内槽の間のインペラー軸に据え付けられる外凸歯車１０を含んでいる。内槽５の底部に開口が下に向かむ凹槽を設けて、浮力室５０１を形成する。洗濯機は脱水や不使用の時、内凹歯車と外凸歯車が噛み合うが、水を注ぐ時、内槽の浮力室５０１は空気圧力で閉鎖的な密封室を形成して、内槽をインペラー軸に沿って上に推して、この時に内凹歯車９と外凸歯車１０が分かれて、洗濯機が洗濯状態に入る。
【００４５】
浮力室５０１に内浮力室５０２を設けて、内浮力室は隔離筋５０５から構成されている。隔離筋は管状構造で、そしてその中に内凹歯車９の周りに設けられて、内凹歯車と同軸心である。隔離筋の周りに隔離輪５０３を設けて、図１１のように、隔離輪は同様に管状の構造で、そして隔離筋と独立な密封空間を形成して、隔離筋５０５と隔離輪５０３に形成された独立空間内に内槽底部を貫いた水通過孔５０４を設けて、水通過孔は洗濯時に内槽と外槽の間に洗濯用水の交換と流通に用いられる。隔離筋５０５は内凹歯車９をめぐって密封室を形成しているが、この密封室は内槽５とインペラー軸８が接続した後に内浮力室５０２を形成して、隔離輪５０３と内槽底部の凹槽の間に浮力室５０１を形成して、浮力室５０１と内浮力室５０２は洗濯用水の推進で、共に浮力が出て、内槽５を上昇する。
【００４６】
この方案では、隔離筋５０５は内凹歯車９と一体に設けられることができるが、即ち、内凹歯車の円周に同軸心且つ垂直の空心パイプを設けるのである。この構造では、内凹歯車の据付の同時に、内槽の底部に内浮力室を形成することができる。隔離筋５０５は内槽の底部と一体に設けられることができるが、この構造では内槽と一体に加工成型することができて、技術が簡単である。
【００４７】
図１３のように、内槽５が上昇した後にインペラー１２と同時に回転することを防いで、衣服と内槽内壁の摩擦を下げて、洗濯の効果に影響を与えないように、本方案の内槽５のトップのバランスリング５０６の表面に表面より出た突起５０７を設けているが、突起は条形や塊形で、均一にバランスリングの表面で分布している。外槽４のトップに外槽４０２を据え付けているが、外槽蓋はリング状で、円心に延びている。外槽蓋とバランスリングの向かい合った面にバランスリングと同じな突起５０７を設けている。洗濯機は洗濯時に、内槽底部の浮力室と内浮力室が水浮力で内槽を浮かべて、この時に内槽の底部の内凹歯車９とインペラー軸の外凸歯車１０が離れる。内槽は一定の高さに上がった後に、内槽のバランスリングは外槽蓋と接触して、バランスリングの突起は外槽蓋の内側面の突起と互いに止めて、内槽の回転を防止する。この時にインペラー軸８の回転は内槽内のインペラー１２だけを動かす。本方案は構造が簡単で、設定が便利である。
【００４８】
図１、６、７、８、９、１０、１１のように、上記の具体的な実施例に基づき、洗濯用水が保護カバー１１０８のトップから骨格オイル・シール１１１１に入ることを防止するために、据付後に保護カバーの高さは少なくともトップが内浮力室５０２の密封室内に位置して、洗濯用水と外凸歯車１０及び内凹歯車９の間のインペラー軸および保護カバーのトップに接触することを阻止する。このようにすると、洗濯用水に含まれたごみがインペラー軸にくっついたり、保護カバーに入ったりすることを防いで、内槽の正常な昇降を保証して、骨格オイル・シールの使用寿命を延長する。本方案は内凹歯車９と外凸歯車１０の据付位置によって隔離筋５０５の高さを調整して、内槽が洗濯位置に上がった時に、隔離筋５０５で形成された密封室が保護カバー１１０８のトップを含むことを保証するので、内浮力室内の空気を増えるように、隔離筋の端面が内槽の浮力室５０１の端面より高くしなければならない。
【００４９】
作動時に、洗濯機内へ水を注いで、内槽の底部の浮力室５０１と内浮力室５０２２という二つの密封室は同時に内槽５が上がるように推す。水通過孔５０４は内槽と外槽の間の洗濯用水を流して、内槽が受けた抵抗力を下げて、この時に保護カバー１１０８のトップが内浮力室の密封室に位置して洗濯水面より出て、洗濯用水が保護カバーのトップから保護カバーに入ることを防いで、防水の効果を達成した。
【００５０】
図１２のように、本方案の洗濯機は衝撃吸収バーによる衝撃吸収方式を採用して、衝撃吸収バー１４はバー１４０１、バーのトップの上ボールベース１４０２、下端が順次にバーに接続する下ボールベース１４０３、スプリング１４０４とスプリングベース１４０５を含んでいる。図１のように、洗濯機の箱体１内のトップに上ボールベース１４０２の凹凸に対応する吊座を設けて、外槽５の側面に下ボールベースの凹凸に対応する衝撃吸収ベース４０１を分布して、その中に吊座と衝撃を吸収ベースにそれぞれ直径がバー１４０１より大きい破面を開いて、吊座と上ボールベースの接触面及び衝撃吸収ベースと下ボールベースの接触面にそれぞれ凹凸が対応するアーク面の接触で、据付時、バー１４０１が破面内に入って、上ボールベースと下ボールベースが内、外槽の重力作用でそれぞれ吊座と衝撃吸収ベースに貼り合う。貼り合った後の上ボールベースと下ボールベースは破面を止めて、それによってバーの脱出を防止する。洗濯機の移動中にバーが破面から脱出することを避けるために、下ボールベースと衝撃吸収ベースが接触する軸孔部に、外に出る錐体形パイプ１４０６を設けて、錐体形パイプの直径が破面より大きい。このようにすると、下ボールベースの衝撃吸収ベースに対する移動距離が錐体形パイプの長さを超えないさえすれば、バーは破面から脱出しないのである。本方案は洗濯機の箱体の４つの角にそれぞれ衝撃吸収バーを据え付けているが、外槽は衝撃吸収バーの引っ張り力の作用で箱体内で浮いたバランス位置にあって、外槽と箱体の衝突を防ぐ。
【００５１】
本方案の洗濯機の作動過程は次の通りです。１キロ以内の衣服を洗濯機に入れて、洗濯機は全自動プログラムの制御で洗濯プログラムを起動して、洗濯機に水を注いで、水注ぎ中に、内槽底部の浮力室と内浮力室は水の浮力作用で内槽をインペラー軸に沿って上がることを推す。この時に、内槽底部の内凹歯車とインペラー軸の外凸歯車が離れる。内槽が一定の高さに上がった後に、内槽のトップのバランスリングが外槽のトップの外槽蓋に接触して、両者の突起が互に接触する。この時に洗い始める。洗濯中に、電機の電機軸はベアリングベースで直接にインペラー軸を駆動して、更にインペラーを動かして衣服を洗う。洗濯中に内槽がバランスリングと外槽蓋の突起に止められて、比較的な静止状態にあって、ベアリングベースの保護カバーが内浮力室内に入って、洗濯用水が保護カバーに入ることと洗濯用水のごみが内凹歯車と外凸歯車の間のインペラー軸にくっつくことを避ける。洗濯と洗いさらし後に洗濯機が排水して、内槽が浮力を失った後にインペラー軸に沿って下がって、最終に内槽の内凹歯車とインペラー軸の外凸歯車がかみ合って、この時に脱水プログラムを起動して、インペラー軸に固定されている外凸歯車が内凹歯車を経由して内槽を動かして、衣服脱水を実現する。
【図１】
0005822151.tif 000002
【図２】
0005822151.tif 000003
【図３】
0005822151.tif 000004
【図４】
0005822151.tif 000005
【図５】
0005822151.tif 000006
【図６】
0005822151.tif 000007
【図７】
0005822151.tif 000008
【図８】
0005822151.tif 000009
【図９】
0005822151.tif 000010
【図１０】
0005822151.tif 000011
【図１１】
0005822151.tif 000012
【図１２】
0005822151.tif 000013
【図１３】
0005822151.tif 000014